(57)【要約】【課題】パネル交換作業を短時間に簡便に行うことができ、これにより上記諸問題を解決することができるスクリーンパネルの固定構造を提供する。【解決手段】除塵装置１　は、複数枚の単位スクリーンパネル４　が連続的に繋がれて成る除塵スクリーン３　を主構成要素とする。各単位スクリーンパネルは、除塵スクリーンの幅方向に延びた溝型の一対の長枠部材５ａと、長枠部材の端部どうしを連結する一対の短枠部材５ｂとからなる矩形のパネル枠５　と、パネル枠の一対の長枠部材の溝内にそれぞれ側縁部を入れた多孔板製のパネル本体６と、パネル枠の一対の長枠部材の溝内にそれぞれ密に嵌込まれてパネル本体縁部を溝内側面に押し付ける一対のパネル押え７　と、一対のパネル押えに亘って設けられた複数本のターンバックル８　とからなる。【選択図】　　図３
2004060353.tif 000002
【特許請求の範囲】
【請求項１】
１枚の単位スクリーンパネルから成る除塵スクリーン、または、複数枚の単位スクリーンパネルが連続的に繋がれて成る除塵スクリーンを主構成要素とする除塵装置において、
各単位スクリーンパネルが、
除塵スクリーンの幅方向に延びた溝型の一対の長枠部材と、長枠部材の端部どうしを連結する一対の短枠部材とからなる矩形のパネル枠と、
パネル枠の一対の長枠部材の溝内にそれぞれ側縁部を入れた多孔板製のパネル本体と、
パネル枠の一対の長枠部材の溝内にそれぞれ密に嵌込まれてパネル本体側縁部を溝内側面に押し付ける一対のパネル押えと、
一対のパネル押えに亘って設けられた複数本のターンバックルと
からなることを特徴とする除塵装置におけるスクリーンパネルの固定構造。
【請求項２】
除塵スクリーンは、複数枚の単位スクリーンパネルがエンドレス状に繋がれて成るものである請求項１記載のスクリーンパネルの固定構造。
【請求項３】
エンドレス状の除塵スクリーンを回転させる駆動装置を具備する請求項２記載のスクリーンパネルの固定構造。
【発明の詳細な説明】
【０００１】
【発明の属する技術分野】
本発明は、水路内等に設置して回転させることにより、水路内を流下する塵芥を捕捉・除去する除塵装置に関し、より詳しくは、スクリーンパネル交換を短時間に簡便に行うことができる除塵装置に関するものである。
【０００２】
【従来の技術】
一般に、この種の除塵装置は、複数枚の単位スクリーンパネルが長円ないしは真円状のエンドレスに繋がれて除塵スクリーンが構成され、エンドレスの除塵スクリーンを回転させる駆動モータが設けられたものである。
【０００３】
従来、上記のような除塵装置における単位スクリーンパネルの固定方法として、例えば、回転駆動されるエンドレスチェーンに多数のパネル枠をボルト等にて固定し、各パネル枠にそれぞれ単位スクリーンパネルをボルト等にて固定する方法や、パネル固定枠あるいは枠と一体成形されたパネルを連結軸等にて繋ぎ合わせる方法等がある。
【０００４】
【発明が解決しようとする課題】
上記のような構成の除塵設備において、例えば想定外の大きさ、硬さの塵芥の流入により、パネルが破壊されたり、繊維状の塵芥等によるパネルに閉塞が発生する場合があり、その際はパネル交換作業が必要となる。
【０００５】
しかし、上記のような従来のパネル固定手段では、まずパネル枠をチェーンから取外す必要があるが、この取外し作業はパネル枠重量が大きいため多大な労力を要する上に、落下事故等による作業員の怪我、機器破損事故の発生を招く恐れがある。さらにこのパネル交換作業は長時間を要し、作業時間が長引くと除塵装置の休止時間が長くなり、周辺設備全体の運転に影響を及ぼすこととなる。
【０００６】
本発明は、上記の点に鑑み、パネル交換作業を短時間に簡便に行うことができ、これにより上記諸問題を解決することができるスクリーンパネルの固定構造を提供することを課題とする。
【０００７】
【課題を解決するための手段】
本発明は、従来のパネル固定枠の長枠部材を、溝型長枠部材と、溝型長枠部材の溝内に密に嵌込まれてパネル本体縁部を溝内側面に押し付けるパネル押えとに分割するとともに、パネル押えを一般工具の一つであるターンバックルの短縮で簡便に抜き出し可能な構造としたものであり、この構造では、チェーンから溝型長枠部材を取外すこと無く、パネル交換を短時間に簡便に行うことができる。
【０００８】
すなわち、本発明により、
１枚の単位スクリーンパネルから成る除塵スクリーン、または、複数枚の単位スクリーンパネルが連続的に繋がれて成る除塵スクリーンを主構成要素とする除塵装置において、
各単位スクリーンパネルが、
除塵スクリーンの幅方向に延びた溝型の一対の長枠部材と、長枠部材の端部どうしを連結する一対の短枠部材とからなる矩形のパネル枠と、
パネル枠の一対の長枠部材の溝内にそれぞれ側縁部を入れた多孔板製のパネル本体と、
パネル枠の一対の長枠部材の溝内にそれぞれ密に嵌込まれてパネル本体側縁部を溝内側面に押し付ける一対のパネル押えと、
一対のパネル押えに亘って設けられた複数本のターンバックルと
からなることを特徴とする除塵装置におけるスクリーンパネルの固定構造が提供される。
【０００９】
除塵スクリーンは、通常は、複数枚の単位スクリーンパネルがエンドレス状に繋がれて成るものであり、除塵装置は、エンドレス状の除塵スクリーンをスプロケット、チェーン、ギアなどの動力伝達手段を介して回転させる駆動装置を具備する。駆動装置で駆動されるチェーンは通常はパネル枠の短枠部材に固定されている。
【００１０】
【発明の実施の形態】
つぎに、本発明を図示の実施例に基づいて具体的に説明する。
【００１１】
実施例１
図１は、複数枚の単位スクリーンパネルが長円エンドレス状に繋がれて成る除塵スクリーンを主構成要素とする除塵装置を示す斜視図である。
【００１２】
図２は、単位スクリーンパネルを示す除塵スクリーンの正面図である。
【００１３】
図３は、パネル交換作業を示す除塵スクリーンの垂直断面図である。
【００１４】
図１において、除塵装置（１）　の主構成要素である除塵スクリーン（３）　は、複数枚の単位スクリーンパネル（４）　が長円エンドレス状に繋がれて成るものである。除塵装置（１）　は水路（２）　内に、長円エンドレス状の除塵スクリーン（３）　が垂直になるように、かつ、長円エンドレス状の除塵スクリーン（３）　の幅方向と、水の流れ方向とが一致するように、配設されている。
【００１５】
各単位スクリーンパネル（４）　は、矩形のパネル枠（５）　と、パネル枠（５）　の一対の長枠部材（５ａ）の溝内にそれぞれ側縁部を入れた多孔板製のパネル本体（６）　と、パネル枠（５）　の一対の長枠部材（５ａ）の溝内にそれぞれ密に嵌込まれてパネル本体側縁部を溝内側面に押し付ける一対のパネル押え（７）　と、一対のパネル押え（７）　に亘って設けられた複数本のターンバックル（８）　とからなる。多孔板からなるパネル本体（６）　は、多孔板の穴径以上の大きさの塵芥を水通過時に捕捉する。パネル枠（５）　は、除塵スクリーン（３）　の幅方向に延びた溝型の一対の長枠部材（５ａ）と、長枠部材（５ａ）の端部どうしを連結した一対の短枠部材（５ｂ）とからなる。パネル枠（５）　の一対の短枠部材（５ｂ）は、駆動装置（９）　およびスプロケット（１６）により回転駆動されるチェーン（１０）のリンクプレートに固定ボルト（１３）にて固定されている。パネル押え（７）　は溝型材より成り、その長さはパネル枠（５）　の長枠部材（５ａ）の長さに等しいかそれぞれより短い。パネル押え（７）　の幅は長枠部材（５ａ）の溝内幅よりパネル本体側縁部の幅の分だけ小さい。
【００１６】
ターンバックル（８）　は、一端に右ネジ部を他端に左ネジ部を有するスリーブ状のナット（８ａ）とナット（８ａ）の右ネジ部および左ネジ部にそれぞれネジ合う雄ネジ部を有する一対のロッド（８ｂ）からなり、ロッド（８ｂ）の各先端にそれぞれパネル押え（７）　が固定されている。一対のロッド（８ｂ）に対しナット（８ａ）を回転させることによりターンバックル（８）　を伸縮させることができる。
【００１７】
パネル本体（６）　は、図３（ａ）　に示すように、一対の長枠部材（５ａ）の溝内に入れられたパネル本体側縁部がパネル押え（７）　で一対の長枠部材（５ａ）の溝内側面に押し付けられることにより、パネル枠（５）　に固定されている。
【００１８】
パネル交換の際は、図３（ｂ）　に示すように、ターンバックル（８）　のロッド（８ｂ）に対しナット（８ａ）を（Ａ）　方向に回転させ、ターンバックル（８）　を短縮して一対のパネル押え（７）　を一対の長枠部材（５ａ）の溝から抜き出す。次いで、図３（ｃ）　に示すように、パネル本体（６）　をパネル枠（５）　から取外し、その後、代わりに新しいパネル本体をパネル枠（５）　内に配し、パネル本体側縁部を長枠部材（５ａ）の溝内に入れ、ターンバックル（８）　のロッド（８ｂ）に対しナット（８ａ）を逆（Ａ）　方向に回転させ、ターンバックル（８）　を延長して一対のパネル押え（７）　を一対の長枠部材（５ａ）の溝内に密に嵌込み、パネル本体側縁部を溝内側面に押し付ける。こうしてパネル交換作業を完了する。
【００１９】
水路（２）　内を流れる水は、図１中に鎖線矢印で示すように、一対の側部ガイド板（１４）で中央部に寄せられ、除塵装置（１）　へ流入し、同装置（１）　の下流端に設けられた止水板（１５）で両側方へ湾曲させられ、長円エンドレス状の除塵スクリーン（３）　の内部から外部へこれを通過して水路（２）　下流へ流下する。水中の塵芥は除塵スクリーン（３）　に捕捉され、除塵スクリーン（３）　の回転により水面より上へ掻き揚げられ、除塵スクリーン（３）　の上に配された洗浄ノズル管（１１）から噴射される洗浄水により排出トラフ（１２）へ排出される。
【００２０】
実施例２
図４に示す除塵装置（１）　では、その主構成要素である除塵スクリーン（３）　は１枚の単位スクリーンパネル（４）　から成る。単位スクリーンパネル（４）　の固定構造は実施例１のものと同じである。除塵装置（１）　は水路（２）　内に流れ方向に傾斜配置されている。
【００２１】
実施例３
図５に示す除塵装置（１）　では、その主構成要素である除塵スクリーン（３）　は、複数枚の単位スクリーンパネル（４）　が真円エンドレス状に繋がれて成るものである。その他の構成は、実施例１のものと同じである。除塵装置（１）　は水路（２）　内に、真円エンドレス状の除塵スクリーン（３）　が幅方向を向くようにして、水平に配設されている。
【００２２】
水路（２）　内を流れる水は、図５中に矢印で示すように、ガイド（１４）で両側部に分けられ、真円エンドレス状の除塵スクリーン（３）　の内部へ両端開口から流入し、同内部から外部へ除塵スクリーン（３）　を通過して水路（２）　下流へ流下する。水中の塵芥は除塵スクリーン（３）　に捕捉され、除塵スクリーン（３）　の回転により水面より上へ掻き揚げられ、除塵スクリーン（３）　の上に配された洗浄ノズル管（１１）から噴射される洗浄水により排出トラフ（１２）へ排出される。
【００２３】
【発明の効果】
本発明によれば、パネル交換作業を短時間に簡便に行うことができ、これにより、設備の休止期間を可及的に短縮することができる。また、重量部材を使用しないので、落下事故等による作業員の怪我、機器破損事故の発生を回避することができる。
【図面の簡単な説明】
【図１】図１は、複数枚の単位スクリーンパネルが長円エンドレス状に繋がれて成る除塵スクリーンを主構成要素とする除塵装置を示す斜視図である。
【図２】図２は、単位スクリーンパネルを示す除塵スクリーンの正面図である。
【図３】図３は、パネル交換作業を示す除塵スクリーンの垂直断面図である。
【図４】図４は、１枚の単位スクリーンパネルから成る除塵スクリーンを主構成要素とする除塵装置を示す垂直断面図である。
【図５】図５は、複数枚の単位スクリーンパネルが真円エンドレス状に繋がれて成る除塵スクリーンを主構成要素とする除塵装置を示す斜視図である。
【符号の説明】
（１）　：除塵装置
（２）　：水路
（３）　：除塵スクリーン
（４）　：単位スクリーンパネル
（５）　：パネル枠
（５ａ）：長枠部材
（５ｂ）：短枠部材
（６）　：パネル本体
（７）　：パネル押え
（８）　：ターンバックル
（８ａ）：ナット
（８ｂ）：ロッド
（９）　：駆動装置
（１０）：チェーン
（１１）：洗浄ノズル管
（１２）：排出トラフ
（１３）：固定ボルト
【図１】
2004060353.tif 000003
【図２】
2004060353.tif 000004
【図３】
2004060353.tif 000005
【図４】
2004060353.tif 000006
【図５】
2004060353.tif 000007